(57)【要約】      （修正有）【課題】画像処理装置におけるタッチパネルユニットが省略されても、簡易な操作でジョブの実行を可能にする画像処理装置を提供する。【解決手段】画像処理装置において、第１通信部は、近接型無線通信である第１無線通信を行う。第２通信部は、第１無線通信よりも通信可能距離が長く通信速度が速い第２無線通信を行う。第１通信部は、信号送信元との間で自動的に第１無線通信により通信接続を確立した上で第２無線通信へ通信接続を引き継ぐＳ１０１。画像処理装置は、設定可能条件の情報を第２通信部を通じて携帯情報端末に送信しＳ１０２、ジョブ実行要求に従って、ジョブ処理部にジョブを実行させるＳ１０４。【選択図】図４
2017001323.tif 000002
【特許請求の範囲】
【請求項１】
携帯情報端末と通信可能な画像処理装置であって、
画像処理のジョブを実行するジョブ処理部と、
近接型無線通信である第１無線通信を行う本体側第１通信部と、
前記第１無線通信よりも通信可能距離が長く通信速度が速い第２無線通信を行う本体側第２通信部と、
前記画像処理装置において設定可能なジョブの条件を表す設定可能条件の情報を、前記本体側第２通信部を通じて前記携帯情報端末に送信する設定可能条件送信部と、
前記携帯情報端末から前記本体側第２通信部を通じて受信されるジョブ実行要求に従って、前記ジョブ処理部に前記ジョブを実行させるジョブ制御部と、を備え、
前記本体側第１通信部は、前記第１無線通信の信号を受信した場合に、信号送信元との間で自動的に前記第１無線通信により通信接続を確立した上で前記第２無線通信へ通信接続を引き継ぐハンドオーバー処理を実行し、
前記設定可能条件送信部は、前記ハンドオーバー処理が成功した場合に前記設定可能条件の情報を前記携帯情報端末に送信し、
前記ジョブ実行要求は前記設定可能条件の指定内容を含む、画像処理装置。
【請求項２】
前記本体側第１通信部は、前記第２無線通信の接続の継続中に接続先以外の前記携帯情報端末との間の前記ハンドオーバー処理を実行しない、請求項１に記載の画像処理装置。
【請求項３】
前記本体側第１通信部が前記第１無線通信の信号を受信してから前記本体側第２通信部を自動的に起動させ、前記第２無線通信の接続が切断されるときに前記本体側第２通信部を自動的に停止させる本体側起動制御部を備える、請求項１または請求項２に記載の画像処理装置。
【請求項４】
前記設定可能条件送信部が、前記ハンドオーバー処理が成功した場合に、前記設定可能条件を提示する設定メニュー画面のデータを前記携帯情報端末に送信する、請求項１から請求項３のいずれか１項に記載の画像処理装置。
【請求項５】
前記設定メニュー画面のデータが、他の前記設定メニュー画面への移行指示を選択肢として含むメニュー画面のデータであり、
前記移行指示が前記携帯情報端末から受信された場合に、前記設定可能条件送信部が、複数の前記設定メニュー画面のデータのうちの前記移行指示に対応した１つを前記携帯情報端末へ送信し、
予め定められた一部の前記設定メニュー画面への前記移行指示が受信された場合に、前記本体側第２通信部が前記第２無線通信の接続を切断する、請求項４に記載の画像処理装置。
【請求項６】
前記第１無線通信が、ＩＳＯ／ＩＥＣ  １８０９２規格に準拠した無線通信であり、
前記第２無線通信が、ＩＥＥＥ  ８０２．１５．１規格に準拠した無線通信である、請求項１から請求項５のいずれか１項に記載の画像処理装置。
【請求項７】
画像処理装置と通信可能な携帯情報端末であって、
近接型無線通信である第１無線通信を行う端末側第１通信部と、
前記第１無線通信よりも通信可能距離が長く通信速度が速い第２無線通信を行う端末側第２通信部と、
前記画像処理装置から前記端末側第２通信部を通じて受信される設定可能条件を提示する設定メニュー画面を表示部に表示させ、さらに、操作部に対する操作に従って前記設定可能条件の指定内容を設定する条件設定部と、
設定された前記設定可能条件の指定内容を含むジョブ実行要求を、前記端末側第２通信部を通じて前記画像処理装置に送信するジョブ実行要求部と、
前記条件設定部を起動させる端末側起動制御部と、を備え、
前記端末側第１通信部は、前記第１無線通信の信号を受信した場合に、信号送信元との間で自動的に前記第１無線通信により通信接続を確立した上で前記第２無線通信へ通信接続を引き継ぐハンドオーバー処理を実行し、
前記端末側起動制御部は、前記ハンドオーバー処理の成功に応じて自動的に前記条件設定部を起動させ、
前記設定可能条件は、前記画像処理装置において設定可能なジョブの条件である、携帯情報端末。
【請求項８】
複数の前記設定可能条件の候補を提示する基本メニュー画面のデータを記憶する基本メニュー画面記憶部を備え、
前記条件設定部は、前記基本メニュー画面のデータについて、前記画像処理装置から受信される前記設定可能条件に該当しない前記設定可能条件の候補の提示を無効化することにより、前記設定メニュー画面のデータを生成する、請求項７に記載の携帯情報端末。
【請求項９】
前記操作部に対する操作に従って、前記基本メニュー画面のデータにおける前記設定可能条件の候補の提示レイアウトを編集する基本メニュー編集部を備える、請求項８に記載の携帯情報端末。
【請求項１０】
相互に通信可能な画像処理装置と携帯情報端末とを含む画像処理システムであって、
前記画像処理装置が、
画像処理のジョブを実行するジョブ処理部と、
近接型無線通信である第１無線通信を行う本体側第１通信部と、
前記第１無線通信よりも通信可能距離が長く通信速度が速い第２無線通信を行う本体側第２通信部と、
前記画像処理装置において設定可能なジョブの条件を表す設定可能条件の情報を、前記本体側第２通信部を通じて前記携帯情報端末に送信する設定可能条件送信部と、
前記携帯情報端末から前記本体側第２通信部を通じて受信されるジョブ実行要求に従って、前記ジョブ処理部に前記ジョブを実行させるジョブ制御部と、を備え、
前記携帯情報端末が、
前記第１無線通信を行う端末側第１通信部と、
前記第２無線通信を行う端末側第２通信部と、
前記画像処理装置から前記端末側第２通信部を通じて受信される前記設定可能条件を提示する設定メニュー画面を表示部に表示させ、さらに、操作部に対する操作に従って前記設定可能条件の指定内容を設定する条件設定部と、
設定された前記設定可能条件の前記指定内容を含むジョブ実行要求を、前記端末側第２通信部を通じて前記画像処理装置に送信するジョブ実行要求部と、
前記条件設定部を起動させる端末側起動制御部と、を備え、
前記本体側第１通信部および前記端末側第１通信部は、前記第１無線通信の信号を受信した場合に、相互に自動的に前記第１無線通信により通信接続を確立した上で前記第２無線通信へ通信接続を引き継ぐハンドオーバー処理を実行し、
前記設定可能条件送信部は、前記ハンドオーバー処理が成功した場合に前記設定可能条件の情報を前記携帯情報端末に送信し、
前記端末側起動制御部が、前記ハンドオーバー処理の成功に応じて自動的に前記条件設定部を起動させる、画像処理システム。
【発明の詳細な説明】
【技術分野】
【０００１】
本発明は、画像処理装置、携帯情報端末および画像処理システムに関する。
【背景技術】
【０００２】
一般に、スキャナー、プリンターおよび複合機などの画像処理装置は、タッチパネルユニットを備える。また、いわゆるスマートフォンなどの携帯型の情報処理端末である携帯情報端末も、前記タッチパネルユニットを備える。通常、前記タッチパネルユニットが採用されることにより、装置の操作が簡易になる。
【０００３】
また、前記画像処理装置が、前記携帯情報端末から無線通信を通じてジョブの指示を受けることが知られている。
【０００４】
例えば、前記画像処理装置が、予め受け付けた画像処理の種類の情報を前記携帯情報端末へ送信し、前記携帯情報端末が、受信した前記画像処理の種類に対応する画像処理の実行指示を前記画像処理装置に送信することが知られている（例えば、特許文献１参照）。この場合、前記画像処理装置は、前記タッチパネルユニットの操作に応じて前記画像処理の種類を受け付ける。
【先行技術文献】
【特許文献】
【０００５】
【特許文献１】特開２０１３−２１４８０６号公報
【発明の概要】
【発明が解決しようとする課題】
【０００６】
ところで、前記画像処理装置の省電力化、低コスト化および操作の簡易化への要求が益々高まっている。例えば、前記画像処理装置において前記タッチパネルユニットが省略され、前記携帯情報端末を通じて前記画像処理装置を操作することが考えられる。これは、装置の省電力化および低コスト化に大きく寄与する。
【０００７】
例えば、前記画像処理装置および前記携帯情報端末において、通信可能距離が１ｍ程度またはそれ以上の無線通信が用いられることが考えられる。この場合、真のユーザーの前記携帯情報端末をその他の前記携帯情報端末から区別して無線通信の接続を確立する処理が必要となる。そのため、前記携帯情報端末において、無線通信の接続が確立するまでの操作が煩雑となる。
【０００８】
一方、前記画像処理装置および前記携帯情報端末において、通信可能距離が１０ｃｍ程度の無線通信が用いられることも考えられる。この場合、前記携帯情報端末において、無線通信の接続が確立するまでの操作は簡易であるが、通常、通信速度が速くない。そのため、画像処理のジョブの実行に時間がかかってしまう。
【０００９】
本発明の目的は、画像処理装置におけるタッチパネルユニットなどの操作表示部が省略されても、簡易な操作によって画像処理装置によるジョブの実行が可能となる画像処理装置、携帯情報端末および画像処理システムを提供することにある。
【課題を解決するための手段】
【００１０】
本発明の一の局面に係る画像処理装置は、携帯情報端末と通信可能な装置であり、ジョブ処理部と、本体側第１通信部と、本体側第２通信部と、設定可能条件送信部と、ジョブ制御部とを備える。前記ジョブ処理部は画像処理のジョブを実行する。前記本体側第１通信部は、近接型無線通信である第１無線通信を行う。前記本体側第２通信部は、前記第１無線通信よりも通信可能距離が長く通信速度が速い第２無線通信を行う。前記設定可能条件送信部は、設定可能条件の情報を、前記本体側第２通信部を通じて前記携帯情報端末に送信する。前記設定可能条件の情報は、前記画像処理装置において設定可能なジョブの条件を表す。前記ジョブ制御部は、ジョブ実行要求に従って、前記ジョブ処理部に前記ジョブを実行させる。前記ジョブ実行要求は、前記携帯情報端末から前記本体側第２通信部を通じて受信される。前記本体側第１通信部は、前記第１無線通信の信号を受信した場合にハンドオーバー処理を実行する。前記ハンドオーバー処理は、信号送信元との間で自動的に前記第１無線通信により通信接続を確立した上で前記第２無線通信へ通信接続を引き継ぐ処理である。前記設定可能条件送信部は、前記ハンドオーバー処理が成功した場合に前記設定可能条件の情報を前記携帯情報端末に送信する。前記ジョブ実行要求は前記設定可能条件の指定内容を含む。
【００１１】
本発明の他の局面に係る携帯情報端末は、画像処理装置と通信可能であり、端末側第１通信部と、端末側第２通信部と、条件設定部と、ジョブ実行要求部と、端末側起動制御部とを備える。前記端末側第１通信部は、近接型無線通信である第１無線通信を行う。前記端末側第２通信部は、前記第１無線通信よりも通信可能距離が長く通信速度が速い第２無線通信を行う。前記条件設定部は、前記画像処理装置から前記端末側第２通信部を通じて受信される設定可能条件を提示する設定メニュー画面を表示部に表示させ、さらに、前記条件設定部は、操作部に対する操作に従って前記設定可能条件の指定内容を設定する。前記ジョブ実行要求部は、設定された前記設定可能条件の指定内容を含むジョブ実行要求を、前記端末側第２通信部を通じて前記画像処理装置に送信する。前記端末側起動制御部は、前記条件設定部を起動させる。前記端末側第１通信部は、前記第１無線通信の信号を受信した場合に、ハンドオーバー処理を実行する。前記ハンドオーバー処理は、信号送信元との間で自動的に前記第１無線通信により通信接続を確立した上で前記第２無線通信へ通信接続を引き継ぐ処理である。前記端末側起動制御部は、前記ハンドオーバー処理の成功に応じて自動的に前記条件設定部を起動させる。前記設定可能条件は、前記画像処理装置において設定可能なジョブの条件である。
【００１２】
本発明の他の局面に係る画像処理システムは、本発明の一の局面に係る前記画像処理装置と、本発明の他の局面に係る前記携帯情報端末とを含む。
【発明の効果】
【００１３】
本発明によれば、画像処理装置におけるタッチパネルユニットなどの操作表示部が省略されても、簡易な操作によって画像処理装置によるジョブの実行が可能となる画像処理装置、携帯情報端末および画像処理システムを提供することが可能になる。
【図面の簡単な説明】
【００１４】
【図１】図１は、第１実施形態に係る画像処理システムの構成図である。
【図２】図２は、第１実施形態に係る画像処理システムにおける画像処理装置のブロック図である。
【図３】図３は、第１実施形態に係る画像処理システムにおける携帯情報端末のブロック図である。
【図４】図４は、第１実施形態に係る画像処理システムにおけるジョブ設定・実行処理の手順の一例を示すフローチャートである。
【図５】図５は、第１実施形態に係る画像処理システムにおけるリンク確立処理の手順の一例を示すフローチャートである。
【図６】図６は、第１実施形態に係る画像処理システムの携帯情報端末における基本メニュー画面の一例を示す図である。
【図７】図７は、第１実施形態に係る画像処理システムの携帯情報端末における設定メニュー画面の一例を示す図である。
【図８】図８は、第１実施形態に係る画像処理システムの携帯情報端末における設定メニュー編集画面の一例を示す図である。
【図９】図９は、第２実施形態に係る画像処理システムにおけるジョブ設定・実行処理の手順の一例を示すフローチャートである。
【発明を実施するための形態】
【００１５】
以下、添付図面を参照しながら、本発明の実施形態について説明する。なお、以下の実施形態は、本発明を具体化した一例であって、本発明の技術的範囲を限定する性格を有さない。
【００１６】
［第１実施形態］
まず、図１〜３を参照しつつ、第１実施形態に係る画像処理システム２の構成について説明する。画像処理システム２は、画像処理装置１０および携帯端末８を含む。画像処理装置１０および携帯端末８は、相互に無線通信可能である。携帯端末８は、携帯型の情報処理端末、即ち、携帯情報端末である。
【００１７】
［画像処理装置１０］
図１，２が示す画像処理装置１０は、原稿から画像を読み取る画像読取装置の機能およびシート材に画像を形成する画像形成装置の機能を兼ね備えた複合機である。
【００１８】
なお、画像処理装置１０が、前記画像形成装置、前記画像読取装置、前記画像形成装置、複写機またはファクシミリ装置などであることも考えられる。
【００１９】
画像処理装置１０は、主制御部１、スキャン部３１、スキャン制御部３０、プリント部４１、プリント制御部４０、主通信部６０、画像処理部５０、第１副通信部２１、第２副通信部２２および通電スイッチ７などを備える。
【００２０】
主制御部１、スキャン制御部３０、プリント制御部４０、主通信部６０および画像処理部５０は、それぞれバス９に接続されおり、バス９を通じて相互にデータの受け渡しが可能である。
【００２１】
スキャン部３１は、前記原稿に光を走査する不図示の光学系、および原稿からの反射光の光量を画素ごとに検出して原稿画像データを出力する不図示のイメージセンサーなどを備える。
【００２２】
スキャン制御部３０は、スキャン部３１を制御して前記原稿画像データを取得する。さらに、スキャン制御部３０は、バス９を通じて前記原稿画像データを画像処理部５０などの他の機器に転送する。
【００２３】
プリント部４１は、周知の電子写真方式の画像形成処理によって前記シート材に画像を形成する。プリント部４１は、不図示の像担持体およびその周辺機器を備え、前記像担持体から前記シート材に現像剤の画像を転写するとともにその画像を前記シート材に定着させる。
【００２４】
プリント制御部４０は、画像処理部５０から記録用画像データを取得し、前記記録用画像データ基づく画像を前記記録シートに形成する処理をプリント部４１に実行させる。
【００２５】
主通信部６０は、ネットワーク１００を通じて外部装置との間でデータの送受信を行う。前記外部装置は、他の画像処理装置１０および不図示のパーソナルコンピューターなどである。
【００２６】
さらに、主通信部６０は、バス９を通じて他の機器とデータの受け渡しを行う。例えば、主通信部６０は、前記外部機器から画像形成用のジョブデータを受信し、そのジョブデータをバス９を通じて画像処理部５０に転送する。
【００２７】
また、主通信部６０は、スキャン制御部３０から画像処理部５０を介して前記原稿画像データを取得し、その原稿画像データを含むデータを前記外部装置へ送信する機能も備える。
【００２８】
画像処理部５０は、バス９を通じて他の機器から得た画像データなどに対する各種のデータ処理を実行する。画像処理部５０によるデータ処理の対象は、例えば、スキャン制御部３０から得られる前記原稿画像データまたは前記外部装置から主通信部６０を通じて得られる前記ジョブデータなどである。
【００２９】
例えば、画像処理部５０は、スキャン制御部３０から得られる前記原稿画像データに対し、画像回転処理、ハーフトーン処理またはサイズカット処理などの画像処理を施す。また、画像処理部５０は、スキャン制御部３０から得られる前記原稿画像データおよび主通信部６０から得られる前記ジョブデータを前記記録用画像データへ変換し、プリント制御部４０へ転送する処理なども実行する。
【００３０】
スキャン部３１、スキャン制御部３０、プリント部４１、プリント制御部４０および画像処理部５０は、主制御部１からの制御指令に従って、スキャンジョブおよびコピージョブなどの画像処理のジョブを実行する。本実施形態において、スキャン部３１、スキャン制御部３０、プリント部４１、プリント制御部４０および画像処理部５０が、前記ジョブを実行するジョブ処理部３の一例である。
【００３１】
第１副通信部２１および第２副通信部２２は、携帯端末８を通信相手として無線通信を行う通信インターフェイスである。第１副通信部２１および第２副通信部２２の詳細については後述する。
【００３２】
通電スイッチ７は、主制御部１からの制御信号に従って、第２副通信部２２に給電するか否かを切り替える。第２副通信部２２は、通電スイッチ７を通じて給電されることによって起動する。また、第２副通信部２２は、通電スイッチ７によって給電が停止されることによって停止状態になる。
【００３３】
主制御部１は、他の制御部および通信部を統括して制御する。そして、主制御部１は、ジョブ処理部３に画像処理のジョブを実行させる。図２が示すように、主制御部１は、ＭＰＵ（Micro Processor Unit）１１および記憶部１２などを備える。
【００３４】
ＭＰＵ１１は、各種の演算およびデータ処理を実行するプロセッサーである。記憶部１２は、ＭＰＵ１１が参照する各種情報を記憶する不揮発性の記憶部である。また、記憶部１２は、ＭＰＵ１１による各種情報の読み書きが可能な記憶部でもある。
【００３５】
記憶部１２は、ＭＰＵ１１に各種の処理を実行させるためのプログラムおよびそれらのプログラムを実行するＭＰＵ１１によって参照される情報および書き込まれる情報を記憶する。例えば、記憶部１２は、前記プログラムおよび設定可能条件情報Ｄ１などを記憶する。設定可能条件情報Ｄ１については後述する。
【００３６】
［携帯端末８］
携帯端末８は、スマートフォン、タブレットコンピューターまたはウェアラブルコンピューターなどの可搬型の情報処理装置である。携帯端末８は、画像処理装置１０のユーザーによって携帯される。
【００３７】
図３に示されるように、携帯端末８は、ＣＰＵ８１、記憶部８２、主通信部８３、第１副通信部８４、第２副通信部８５、信号インターフェイス８６、タッチパネルユニット８７および通電スイッチ８８などを備える。
【００３８】
ＣＰＵ８１は、各種の演算およびデータ処理を実行するプロセッサーである。記憶部８２は、ＣＰＵ８１が参照する各種データを記憶する不揮発性の記憶部である。また、記憶部８２は、ＣＰＵ８１による各種データの読み書きが可能な記憶部でもある。
【００３９】
記憶部８２は、ＣＰＵ８１に各種の処理を実行させるためのプログラムも記憶する。なお、携帯端末８は、ＣＰＵ８１が実行するプログラムを一時記憶するＲＡＭなどの不図示の揮発性記憶部も備える。
【００４０】
主通信部８３は、公衆通信回線８００を通じて他の携帯端末８との間で音声データおよびその他のデータの送受信を行う無線通信インターフェイスである。
【００４１】
例えば、主通信部８３は、ＧＭＳ（Global System for Mobile Communications）法式、ＣＤＭＡ（Code Division Multiple Access）法式またはＷ−ＣＤＭＡ（Wideband Code Division Multiple Access）法式などの通信プロトコルに従って無線通信を行う。ＣＰＵ８１は、主通信部８３を通じて他の携帯端末８との間でデータの送受信を行う。
【００４２】
タッチパネルユニット８７は、液晶表示パネルなどのパネル表示部と、そのパネル表示部の表面に形成されたタッチパネルセンサーとを含む。即ち、タッチパネルユニット８７のパネルは、操作部と画面の表示部とを兼ねる。
【００４３】
ＣＰＵ８１は、タッチパネルユニット８７を通じて入力される指示またはデータに基づくデータ処理を行う。さらに、ＣＰＵ８１は、操作画面またはデータ処理の結果を表示する画面をタッチパネルユニット８７に出力する。タッチパネルユニット８７は、携帯端末８における操作部および表示部の一例である。
【００４４】
通電スイッチ８８は、ＣＰＵ８１からの制御信号に従って、第２副通信部８５に給電するか否かを切り替える。第２副通信部８５は、通電スイッチ８８を通じて給電されることによって起動する。また、第２副通信部８５は、通電スイッチ８８によって給電が遮断されることによって停止する。
【００４５】
ところで、画像処理装置１０の省電力化、低コスト化および操作の簡易化への要求が益々高まっている。例えば、画像処理装置１０おいてタッチパネルユニットが省略され、携帯端末８を通じて画像処理装置１０を操作することが考えられる。これは、画像処理装置１０の省電力化および低コスト化に大きく寄与する。
【００４６】
例えば、画像処理装置１０および携帯端末８において、通信可能距離が１ｍ程度またはそれ以上の無線通信が用いられることが考えられる。この場合、真のユーザーの携帯端末８をその他の携帯端末８から区別して無線通信の接続を確立する処理が必要となる。そのため、携帯端末８において、無線通信の接続が確立するまでの操作が煩雑となる。
【００４７】
一方、画像処理装置１０および携帯端末８において、通信可能距離が１０ｃｍ程度の無線通信が用いられることも考えられる。この場合、携帯端末８において、無線通信の接続が確立するまでの操作は簡易であるが、通常、通信速度が速くない。そのため、画像処理のジョブの実行に時間がかかってしまう。
【００４８】
本実施形態によれば、画像処理装置１０におけるタッチパネルユニットなどの操作表示部が省略されても、簡易な操作によって画像処理装置１０によるジョブの実行が可能となる。以下、その詳細について説明する。
【００４９】
［画像処理装置１０の第１副通信部２１および第２副通信部２２］
第１副通信部２１は、近接型無線通信を行う通信インターフェイスである。第２副通信部２２は、無線ＰＡＮ（Wireless Personal Area Network）の通信を行う通信インターフェイスである。即ち、第２副通信部２２は、第１副通信部２１の無線通信よりも通信可能距離が長い無線通信を行う。さらに、第２副通信部２２の無線通信の速度は、第１副通信部２１の無線通信の速度よりも速い。
【００５０】
以下の説明において、第１副通信部２１の無線通信のことを第１無線通信１０１と称し、第２副通信部２２の無線通信のことを第２無線通信１０２と称する。なお、第１副通信部２１および第２副通信部２２は、それぞれ本体側第１通信部および本体側第２通信部の一例である。
【００５１】
例えば、第１無線通信１０１が、ＩＳＯ／ＩＥＣ  １８０９２規格に準拠した無線通信、即ち、いわゆるＮＦＣ（Near Field Communication）であることが考えられる。また、第２無線通信１０２が、ＩＥＥＥ  ８０２．１５．１規格に準拠した無線通信、即ち、いわゆるＢｌｕｅｔｏｏｔｈ（登録商標）であることが考えられる。
【００５２】
ＮＦＣは、１３．５６ＭＨｚ帯の周波数の電波を利用する。ＮＦＣにおいて、通信可能距離は１００ミリメートル程度またはそれ以内であり、通信速度は最大４２４ｋｂｐｓである。従って、ユーザーが、携帯端末８を意図的に画像処理装置１０の第１副通信部２１に近づけて初めて第１無線通信１０１の接続が可能になる。
【００５３】
第１副通信部２１は、画像処理装置１０の前面の上部に形成された端末載置台９０に内蔵されている。端末載置台９０は、携帯端末８を載置可能な部分である。本実施形態において、携帯端末８が、端末載置台９０に対して接触するほどに近づけば、第１無線通信１０１の接続が可能になる。
【００５４】
Ｂｌｕｅｔｏｏｔｈは、２．４ＧＨｚ帯の周波数の電波を利用する。Ｂｌｕｅｔｏｏｔｈにおいて、通信可能距離は１メートルから１０メートル程度であり、通信速度は最大２４Ｍｂｐｓである。従って、第２無線通信１０２は、画像データなどの比較的大きなサイズのデータを短時間で伝送することが可能である。
【００５５】
［携帯端末８の第１副通信部８４および第２副通信部８５］
第１副通信部８４は、第１無線通信１０１を行う通信インターフェイスである。第２副通信部８５は、第２無線通信１０２を行う通信インターフェイスである。なお、第１副通信部８４および第２副通信部８５は、それぞれ端末側第１通信部および端末側第２通信部の一例である。
【００５６】
［設定可能条件情報Ｄ１］
設定可能条件情報Ｄ１は、予め記憶部１２に記憶されている。設定可能条件情報Ｄ１は、画像処理装置１０において設定可能なジョブの条件を表す設定可能条件の情報である。
【００５７】
例えば、設定可能条件情報Ｄ１が、画像処理装置１０におけるスキャンジョブおよびコピージョブにおいて設定可能な解像度、読み取り濃度および各種のモードなどの情報を含む場合がある。ここで、設定可能なモードが、カラー読み取りモード、および継続読み取りモードなどを含む場合がある。
【００５８】
また、設定可能条件情報Ｄ１が、前記コピージョブにおいて設定可能なカラー印刷モード、両面印刷モードおよび集約印刷モードなどの情報を含む場合がある。
【００５９】
［ジョブ設定・実行処理］
画像処理システム２の画像処理装置１０および携帯端末８は、ジョブ設定・実行処理を実行する。前記ジョブ設定・実行処理は、ユーザーの操作に従って画像処理のジョブの条件を設定し、設定された条件に従ったジョブを実行する処理である。前記ジョブは、例えばスキャンジョブおよびコピージョブなどである。
【００６０】
以下、図４に示されるフローチャートを参照しつつ、画像処理システム２における前記ジョブ設定・実行処理の手順の一例について説明する。以下の説明において、Ｓ１０１，Ｓ１０２，…は、前記ジョブ設定・実行処理において画像処理装置１０が実行する各工程の識別符号を表す。また、Ｓ２０１，Ｓ２０２，…は、前記ジョブ設定・実行処理において携帯端末８が実行する各工程の識別符号を表す。
【００６１】
＜工程Ｓ１０１＞
画像処理装置１０において、第１副通信部２１が、リンク確立処理を実行する。前記リンク確立処理は、画像処理装置１０および携帯端末８の間で第２無線通信１０２のリンクを確立するための処理である。
【００６２】
前記リンク確立処理において、画像処理装置１０の第１副通信部２１は、第１無線通信１０１の信号送信元との間でハンドオーバー処理を実行する。工程Ｓ１０１における前記信号送信元は携帯端末８である。前記ハンドオーバー処理は、第１無線通信１０１により通信接続を確立した上で第２無線通信１０２へ通信接続を引き継ぐ処理である。前記リンク確立処理については後述する（図５参照）。
【００６３】
＜工程Ｓ１０２＞
前記リンク確立処理が成功すると、主制御部１は、第２副通信部２２を通じて設定可能条件情報Ｄ１を携帯端末８へ送信する。なお、前記リンク確立処理の成功は、前記ハンドオーバー処理の成功を意味する。
【００６４】
＜工程Ｓ１０３＞
さらに、主制御部１は、第２副通信部２２を通じて携帯端末８からの要求の受信を確認する処理を実行する。そして、主制御部１は、携帯端末８からの要求内容に応じた処理を実行する。
【００６５】
＜工程Ｓ１０４＞
主制御部１は、第２副通信部２２を通じて携帯端末８からジョブ実行要求を受信した場合、そのジョブ実行要求に従ってジョブ処理部３に前記ジョブを実行させる。
【００６６】
後述するように、前記ジョブ実行要求は、工程Ｓ１０２で送信された前記設定可能条件の指定内容を含む。主制御部１は、前記ジョブ実行要求における前記設定可能条件の指定内容に従って、ジョブ処理部３に前記ジョブを実行させる（Ｓ１０４）。
【００６７】
なお、工程Ｓ１０４の処理を実行する主制御部１がジョブ制御部の一例である。前記ジョブが終了すると、主制御部１は、工程Ｓ１０３からの処理を繰り返す。
【００６８】
＜工程Ｓ１０５＞
主制御部１は、第２副通信部２２を通じて携帯端末８から終了要求を受信した場合、第２副通信部２２を停止させる。より具体的には、主制御部１は、通電スイッチ７を制御することにより、第２副通信部２２への給電を停止する。その後、画像処理装置１０は、工程Ｓ１０１からの処理を実行する状態になる。
【００６９】
画像処理装置１０において、ＭＰＵ１１が記憶部１２に記憶されたジョブ制御プログラムＰｒ１２を実行することにより、主制御部１は、工程Ｓ１０２〜Ｓ１０４の処理を実行する。なお、工程Ｓ１０３，Ｓ１０４の処理を実行する主制御部１は、ジョブ制御部の一例である。工程Ｓ１０３，Ｓ１０４において、主制御部１は、携帯端末８から第２副通信部２２を通じて受信される前記ジョブ実行要求に従ってジョブ処理部３に前記ジョブを実行させる。
【００７０】
また、ＭＰＵ１１が記憶部１２に記憶された起動制御プログラムＰｒ１１を実行することにより、主制御部１は、工程Ｓ１０５の処理を実行する。
【００７１】
＜工程Ｓ２０１＞
一方、携帯端末８の第１副通信部８４も前記リンク確立処理を実行する。工程Ｓ２０１における第１無線通信１０１の信号送信元は画像処理装置１０である。前記リンク確立処理については後述する（図５参照）。
【００７２】
＜工程Ｓ２０２＞
画像処理装置１０との間で前記リンク確立処理が成功すると、ＣＰＵ８１は、自動的にジョブ設定プログラムＰｒ２２を起動させて実行する。ジョブ設定プログラムＰｒ２２は、以下の工程Ｓ２０３〜Ｓ２０８の処理をＣＰＵ８１に実行させるためのアプリケーションプログラムである。
【００７３】
ＣＰＵ８１は、記憶部８２に記憶された起動制御プログラムＰｒ２１を実行することにより、工程Ｓ２０２の処理を実行する。
【００７４】
＜工程Ｓ２０３＞
ＣＰＵ８１は、ジョブ設定プログラムＰｒ２２の実行により、まず、第２副通信部８５を通じて画像処理装置１０から設定可能条件情報Ｄ１を受信する。
【００７５】
＜工程Ｓ２０４＞
さらに、ＣＰＵ８１は、画像処理装置１０に関する設定メニュー画面ｇ２をタッチパネルユニット８７に表示させる。設定メニュー画面ｇ２は、設定可能条件情報Ｄ１を提示する画面である。
【００７６】
図７は設定メニュー画面ｇ２の一例である。図７が示す例において、設定メニュー画面ｇ２は、設定可能条件情報Ｄ１、指定内容入力枠ｇ１１、開始選択部ｇ１２、中止選択部ｇ１３およびジョブ種選択部ｇ１４などを含む。
【００７７】
工程Ｓ２０４において、ＣＰＵ８１は、予め記憶部１２に登録された基本メニュー画面データＤｇ１から設定メニュー画面ｇ２のデータを生成する。基本メニュー画面データＤｇ１は、基本メニュー画面ｇ１を表すデータである。
【００７８】
なお、記憶部１２における基本メニュー画面データＤｇ１を記憶する部分が基本メニュー画面記憶部の一例である。
【００７９】
図６は、基本メニュー画面ｇ１の一例を示す。図６が示すように、基本メニュー画面ｇ１は、画像処理に関する複数の前記設定可能条件の候補を表す候補情報Ｄ１ｘを提示する画面である。さらに、基本メニュー画面ｇ１は、指定内容入力枠ｇ１１、開始選択部ｇ１２、中止選択部ｇ１３およびジョブ種選択部ｇ１４などを含む。
【００８０】
基本メニュー画面ｇ１は、様々な機種の画像処理装置において画像処理のジョブの設定条件として考え得る複数の候補情報Ｄ１ｘを設定可能な条件の情報として含む。
【００８１】
ＣＰＵ８１は、基本メニュー画面データＤｇ１について、画像処理装置１０から受信される設定可能条件情報Ｄ１の条件に該当しない候補情報Ｄ１ｘの提示を無効化することにより、設定メニュー画面ｇ２のデータを生成する。
【００８２】
図６，７が示す例では、画像処理装置１０から受信される設定可能条件情報Ｄ１の条件に該当しない候補情報Ｄ１ｘが、ファクスジョブの設定条件に関する情報である。この場合、ＣＰＵ８１は、基本メニュー画面データＤｇ１から前記ファクスジョブの条件に関する候補情報Ｄ１ｘを無効化することによって設定メニュー画面ｇ２のデータを生成する。
【００８３】
図７が示す例では、設定メニュー画面ｇ２において、無効化された候補情報Ｄ１ｘに対応する設定条件は、網掛け処理が施されて表示されている。設定メニュー画面ｇ２において、網掛け処理が施された前記設定条件の内容を設定することはできない。
【００８４】
また、無効化された候補情報Ｄ１ｘに対応する設定条件が、設定メニュー画面ｇ２における表示対象から除外されることも考えられる。なお、ＣＰＵ８１は、タッチパネルユニット８７の操作に従って基本メニュー画面データＤｇ１を編集する基本メニュー編集処理を実行可能である。前記基本メニュー編集処理については後述する。
【００８５】
＜工程Ｓ２０５＞
さらに、携帯端末８のＣＰＵ８１は、設定メニュー画面ｇ２が表示されているときに、タッチパネルユニット８７に対する操作に従って前記ジョブの前記設定可能条件の指定内容を設定する。設定メニュー画面ｇ２における指定内容入力枠ｇ１１は、前記設定可能条件の指定内容の入力枠である。
【００８６】
ＣＰＵ８１は、タッチパネルユニット８７に対する他の設定メニュー画面ｇ２を選択する操作を検知した場合、選択された設定メニュー画面ｇ２について工程Ｓ２０４からの処理を繰り返す。即ち、ＣＰＵ８１は、選択された設定メニュー画面ｇ２をタッチパネルユニット８７に表示させる（工程Ｓ２０４）。
【００８７】
本実施形態では、設定メニュー画面ｇ２のジョブ種選択部ｇ１４が操作された場合に、ＣＰＵ８１は、選択された前記ジョブの種類に関する設定メニュー画面ｇ２をタッチパネルユニット８７に表示させる。
【００８８】
＜工程Ｓ２０６＞
携帯端末８のＣＰＵ８１は、設定メニュー画面ｇ２が表示されているときに、タッチパネルユニット８７に対して前記ジョブの開始操作が行われた場合に、前記ジョブ実行要求を画像処理装置１０に対して送信する。
【００８９】
前記ジョブ実行要求は、工程Ｓ２０５において設定された前記設定可能条件の指定内容を含む。前記ジョブ実行要求は、第２副通信部８５を通じて画像処理装置１０に送信される。ＣＰＵ８１は、工程Ｓ２０６の処理の後、工程Ｓ２０４からの処理を繰り返す。
【００９０】
＜工程Ｓ２０７＞
携帯端末８のＣＰＵ８１は、設定メニュー画面ｇ２が表示されているときに、タッチパネルユニット８７に対して前記ジョブの条件設定の終了操作が行われた場合に、終了処理（工程Ｓ２０７〜Ｓ２０９）を実行する。ＣＰＵ８１は、前記ジョブの条件設定の終了操作が行われるまで、工程Ｓ２０４〜Ｓ２０６の処理を繰り返す。
【００９１】
前記終了処理において、ＣＰＵ８１は、第２副通信部８５を通じて前記終了要求を画像処理装置１０に送信する（Ｓ２０７）。
【００９２】
＜工程Ｓ２０８＞
さらに、前記終了処理において、ＣＰＵ８１は、ジョブ設定プログラムＰｒ２２を終了させる。
【００９３】
＜工程Ｓ２０９＞
さらに、前記終了処理において、ＣＰＵ８１は、第２副通信部８５を停止させる。より具体的には、ＣＰＵ８１は、通電スイッチ８８を制御することにより、第２副通信部８５への給電を停止する。その後、携帯端末８は、工程Ｓ２０１からの処理を実行する状態になる。
【００９４】
ＣＰＵ８１は、記憶部８２に記憶された起動制御プログラムＰｒ２１を実行することにより、工程Ｓ２０９の処理を実行する。
【００９５】
以上に示されるように、工程Ｓ２０３〜Ｓ２０４の処理は、画像処理装置１０から第２副通信部８５を通じて受信される前記設定可能条件を提示する設定メニュー画面ｇ２を表示部に表示させる処理である。さらに、工程Ｓ２０５の処理は、操作部に対する操作に従って前記設定可能条件の指定内容を設定する処理である。工程Ｓ２０３〜Ｓ２０５の処理を実行するＣＰＵ８１が条件設定部の一例である。ジョブ設定プログラムＰｒ２２が起動することにより、ＣＰＵ８１における前記条件設定部としての機能が起動する。
【００９６】
また、工程Ｓ２０６の処理は、工程Ｓ２０５で設定された前記設定可能条件の指定内容を含む前記ジョブ実行要求を、第２副通信部８５を通じて画像処理装置１０に送信する処理である。工程Ｓ２０６の処理を実行するＣＰＵ８１がジョブ実行要求部の一例である。
【００９７】
［前記リンク確立処理］
次に、図５に示されるフローチャートを参照しつつ、画像処理システム２における前記リンク確立処理の手順の一例について説明する。以下の説明において、Ｓ３０１，Ｓ３０２，…は、前記リンク確立処理において画像処理装置１０が実行する各工程の識別符号を表す。また、Ｓ４０１，Ｓ４０２，…は、前記リンク確立処理において携帯端末８が実行する各工程の識別符号を表す。
【００９８】
＜工程Ｓ３０１＞
画像処理装置１０において、まず、第１副通信部２１が、第１無線通信１０１の信号の受信の有無を随時確認する。例えば、第１副通信部２１が、ＮＦＣタグを含み、第１無線通信１０１の信号によって生じる誘導起電力によって起動することが考えられる。また、常時動作する第１副通信部２１が、第１無線通信１０１の信号の受信の有無を確認することも考えられる。
【００９９】
第１副通信部２１は、第１無線通信１０１の信号の受信に応じて、応答信号を返信する。なお、第１副通信部２１は、到達距離が短い微弱な電波で通信が可能である。そのため、第１副通信部２１および第１副通信部８４の消費電力は非常に小さい。
【０１００】
＜工程Ｓ３０２＞
第１副通信部２１が第１無線通信１０１の信号を受信すると、主制御部１が、第２副通信部２２を起動させる。より具体的には、主制御部１は、通電スイッチ７を制御することにより、第２副通信部２２への給電を開始する。
【０１０１】
例えば、第１副通信部２１が、第１無線通信１０１の信号を受信したことを主制御部１に通知し、主制御部１が、その通知を受けたときに第２副通信部２２を起動させる。なお、第１副通信部２１が、通電スイッチ７を制御することによって第２副通信部２２を起動させることも考えられる。
【０１０２】
画像処理装置１０において、ＭＰＵ１１が起動制御プログラムＰｒ１１を実行することにより、主制御部１が工程Ｓ３０２の処理を実行する。即ち、ＭＰＵ１１が起動制御プログラムＰｒ１１を実行するときに、主制御部１は、第１副通信部２１が第１無線通信１０１の信号を受信してから第２副通信部２２を自動的に起動させる（図５のＳ３０２）。さらに、主制御部１は、第２無線通信１０２の接続が切断されるときに第２副通信部２２を自動的に停止させる（図４のＳ１０５）。工程Ｓ３０２および工程Ｓ１０５の処理を実行する主制御部１が本体側起動制御部の一例である。
【０１０３】
＜工程Ｓ３０３＞
さらに、画像処理装置１０の第１副通信部２１が、携帯端末８の第１副通信部８４との間で前記ハンドオーバー処理を実行する。前述したように、前記ハンドオーバー処理は、第１無線通信１０１により通信接続を確立した上で第２無線通信１０２へ通信接続を引き継ぐ処理である。第１副通信部２１は、第１無線通信１０１の信号を受信した場合に、自動的に前記ハンドオーバー処理を実行する。
【０１０４】
第１無線通信１０１がＮＦＣであり、第２無線通信１０２がＢｌｕｅｔｏｏｔｈ（登録商標）である場合、前記ハンドオーバー処理は、Ｂｌｕｅｔｏｏｔｈハンドオーバーとして知られている。前記Ｂｌｕｅｔｏｏｔｈハンドオーバーにおいて、画像処理装置１０の第１副通信部２１および携帯端末８の第１副通信部８４は、ペアリング処理および認証処理を行う。
【０１０５】
前記ペアリング処理に用いられる公開鍵暗号および前記認証処理に用いられる認証コードは、画像処理装置１０の第１副通信部２１および携帯端末８の第１副通信部８４各々が備える不揮発性記憶部に予め記憶されている。前記ペアリング処理および前記認証処理が完了すれば、前記ハンドオーバー処理は成功である。
【０１０６】
前記ハンドオーバー処理が成功した場合、主制御部１が、図４の工程Ｓ１０２からの処理を実行する。前記ハンドオーバー処理が失敗した場合、第１副通信部２１は工程Ｓ３０１の状態に戻る。
【０１０７】
なお、第２無線通信１０２の接続の継続中に、接続先以外の携帯端末８から第１無線通信１０１の信号が受信されることも考えられる。この場合、工程Ｓ３０３において、第１副通信部２１は、既に接続中の接続先以外の携帯端末８との間の前記ハンドオーバー処理を実行しない。
【０１０８】
＜工程Ｓ４０１＞
一方、携帯端末８において、まず、第１副通信部８４が、第１無線通信１０１の信号の受信の有無を随時確認する。例えば、常時動作する第１副通信部８４が、第１無線通信１０１の信号の受信の有無を確認することが考えられる。
【０１０９】
例えば、第１副通信部８４が受信する第１無線通信１０１の信号が、自らが出力した信号に対して返信される応答信号であることが考えられる。
【０１１０】
＜工程Ｓ４０２＞
第１副通信部８４が第１無線通信１０１の信号を受信すると、ＣＰＵ８１が、第２副通信部８５を起動させる。より具体的には、ＣＰＵ８１は、通電スイッチ８８を制御することにより、第２副通信部８５への給電を開始する。
【０１１１】
例えば、第１副通信部８４が、第１無線通信１０１の信号を受信したことをＣＰＵ８１に通知し、ＣＰＵ８１が、その通知を受けたときに第２副通信部８５を起動させる。なお、第１副通信部８４が、通電スイッチ８８を制御することによって第２副通信部８５を起動させることも考えられる。
【０１１２】
携帯端末８において、ＣＰＵ８１は、起動制御プログラムＰｒ２１を実行することによって工程Ｓ４０２の処理を実行する。即ち、ＣＰＵ８１は、起動制御プログラムＰｒ２１を実行するときに以下の処理を実行する。まず、ＣＰＵ８１は、前記ハンドオーバー処理の成功に応じて自動的にジョブ設定プログラムＰｒ２２を起動させる。工程Ｓ４０２の処理を実行するＣＰＵ８１が端末側起動制御部の一例である。
【０１１３】
さらに、ＣＰＵ８１は、第１副通信部８４が第１無線通信１０１の信号を受信してから第２副通信部８５を自動的に起動させる（図５のＳ４０２）。さらに、ＣＰＵ８１は、第２無線通信１０２の接続が切断されるときに第２副通信部２２を自動的に停止させる（図４のＳ２０９）。
【０１１４】
＜工程Ｓ４０３＞
さらに、携帯端末８の第１副通信部８４は、第１無線通信１０１の信号を受信した場合に、画像処理装置１０の第１副通信部２１との間で前記ハンドオーバー処理を実行する。
【０１１５】
前記ハンドオーバー処理が成功した場合、ＣＰＵ８１が、図４の工程Ｓ２０２からの処理を実行する。
【０１１６】
＜工程Ｓ４０４＞
前記ハンドオーバー処理が失敗した場合、第１副通信部８４は、タッチパネルユニット８７にエラーメッセージを出力した上で、工程Ｓ４０１の状態に戻る。
【０１１７】
［前記基本メニュー編集処理］
次に、図６，８を参照しつつ、前記基本メニュー編集処理について説明する。携帯端末８のＣＰＵ８１は、記憶部８２に記憶された基本メニュー編集プログラムＰｒ２３を実行することにより、前記基本メニュー編集処理を実行する。
【０１１８】
ＣＰＵ８１は、基本メニュー画面ｇ１が表示されているときに予め定められた編集選択操作が行われたことを検知すると、基本メニュー編集プログラムＰｒ２３を起動し、前記基本メニュー編集処理を実行する。
【０１１９】
図６が示す例では、基本メニュー画面ｇ１が編集モード選択部ｇ１５を含み、編集モード選択部ｇ１５の操作が、前記編集選択操作である。
【０１２０】
前記基本メニュー編集処理において、ＣＰＵ８１は、タッチパネルユニット８７に対する操作に従って、基本メニュー画面ｇ１のデータにおける前記設定可能条件の候補の提示レイアウトを編集する。なお、前記基本メニュー編集処理を実行するＣＰＵ８１が基本メニュー編集部の一例である。
【０１２１】
例えば、図８が示すように、ＣＰＵ８１は、基本メニュー画面ｇ１における設定可能条件情報Ｄ１または指定内容入力枠ｇ１１の表示領域に対するドラッグ操作に従って、設定可能条件情報Ｄ１および指定内容入力枠ｇ１１の表示位置を変更する。
【０１２２】
そして、前記編集選択操作が再び行われたときに、ＣＰＵ８１は、記憶部８２の基本メニュー画面データＤｇ１を、編集後の基本メニュー画面ｇ１を表すデータへ更新する。これ以降、ＣＰＵ８１は、更新された基本メニュー画面データＤｇ１に基づいて設定メニュー画面ｇ２を編成する。
【０１２３】
本実施形態において、携帯端末８を通じて画像処理装置１０を操作することができる。そのため、画像処理装置１０は、タッチパネルユニットを備えていない。このことは、画像処理装置１０の省電力化および低コスト化に大きく寄与する。
【０１２４】
また、通信可能距離が１０ｃｍ程度の第１無線通信１０１を用いた前記ハンドオーバー処理が、第２無線通信１０２の接続を確立するための処理として実行される。そのため、第２無線通信１０２の接続を確立するまでの操作は、携帯端末８を画像処理装置１０の端末載置台９０にかざすだけのごく簡易な操作である。
【０１２５】
また、画像処理装置１０および携帯端末８において、比較的高速な第２無線通信１０２が、前記ジョブの実行のためのデータの送受信に用いられる。これにより、画像処理の前記ジョブの実行に時間がかかってしまうことを回避できる。
【０１２６】
また、第１副通信部２１は、第２無線通信１０２の接続の継続中に接続先以外の携帯端末８との間の前記ハンドオーバー処理を実行しない。そのため、画像処理装置１０は、複数の前記ジョブの受付処理を並行して実行する必要がない。そのため、第２無線通信１０２の速度の制約によって前記ジョブの受付処理に時間がかかってしまうことを回避できる。
【０１２７】
また、主制御部１は、第２副通信部２２の自動起動（図５のＳ３０２）および自動停止（図４のＳ１０５）により、第２副通信部２２を必要なときだけ動作させる。これにより、待機中の画像処理装置１０の消費電力が低減される。なお、第１副通信部２１の消費電力は非常に小さい。
【０１２８】
また、携帯端末８において、ＣＰＵ８１が、前記ハンドオーバー処理の成功に応じて自動的に、前記条件設定部に相当するジョブ設定プログラムＰｒ２２を起動させる。そのため、携帯端末８において、操作対象の画像処理装置１０に対応するアプリケーションプログラムを予め選択および起動する手間が省かれる。
【０１２９】
また、携帯端末８において、ＣＰＵ８１は、基本メニュー画面データＤｇ１に基づいて設定メニュー画面ｇ２のデータを生成する。その際、ＣＰＵ８１は、基本メニュー画面データＤｇ１における画像処理装置１０から受信した前記設定可能条件に該当しない条件の候補の提示を無効化する。
【０１３０】
従って、携帯端末８において、画像処理装置１０の機種ごとに異なるアプリケーションプログラムが予めインストールされている必要がない。さらに、ユーザーが、画像処理装置１０の機種ごとに異なるアプリケーションプログラムを起動する操作を行う必要がない。さらに、ユーザーが、画像処理装置１０の機種ごとに異なる操作を覚える必要もない。
【０１３１】
また、携帯端末８は、前記基本メニュー編集処理を実行可能である。これにより、ユーザーが、設定メニュー画面ｇ２を自分の好みに応じた画面にカスタマイズすることができ、利便性が高い。
【０１３２】
[第２実施形態：ジョブ設定・実行処理]
次に、図９に示されるフローチャートを参照しつつ、第２実施形態に係る画像処理システムにおける前記ジョブ設定・実行処理の手順の一例について説明する。以下の説明において、Ｓ５０１，Ｓ５０２，…は、前記ジョブ設定・実行処理において画像処理装置１０が実行する各工程の識別符号を表す。また、Ｓ６０１，Ｓ６０２，…は、前記ジョブ設定・実行処理において携帯端末８が実行する各工程の識別符号を表す。
【０１３３】
第１実施形態においては、携帯端末８のＣＰＵ８１が設定メニュー画面ｇ２を編成した。一方、第２実施形態においては、画像処理装置１０の主制御部１が、設定メニュー画面ｇ２のデータを携帯端末８へ送信する。この点が、第２実施形態における第１実施形態と異なる点である。
【０１３４】
＜工程Ｓ５０１＞
画像処理装置１０において、まず、第１副通信部２１が前記リンク確立処理を実行する（図５参照）。
【０１３５】
＜工程Ｓ５０２＞
前記リンク確立処理が成功すると、主制御部１は、第２副通信部２２を通じて携帯端末８からの要求の受信を確認する処理を実行する。そして、主制御部１は、携帯端末８からの要求内容に応じた処理を実行する。
【０１３６】
＜工程Ｓ５０３＞
主制御部１は、第２副通信部２２を通じて携帯端末８から画面要求を受信した場合、
第２副通信部２２を通じて設定メニュー画面ｇ２のデータを携帯端末８へ送信する。前述したように、設定メニュー画面ｇ２は、設定可能条件情報Ｄ１を提示する画面である（図７参照）。
【０１３７】
即ち、主制御部１は、前記ハンドオーバー処理が成功した場合に、前記設定可能条件を提示する設定メニュー画面ｇ２のデータを携帯端末８に送信する。なお、工程Ｓ５０３の処理を実行する主制御部１が設定可能条件送信部の一例である。
【０１３８】
例えば、設定メニュー画面ｇ２のデータが、ＨＴＭＬなどの予め定められたマークアップ言語で表現された画面データであることが考えられる。この場合、携帯端末８において、ウェブブラウザープログラムＰｒ２４がインストールされていればよい。即ち、携帯端末８において、画像処理装置１０に対応した特別なアプリケーションプログラムがインストールされている必要がない。
【０１３９】
複数の設定メニュー画面ｇ２が存在する場合、主制御部１は、携帯端末８から要求された設定メニュー画面ｇ２のデータを携帯端末８へ送信する。例えば、主制御部１は、前記リンク確立処理の後の最初の前記画面要求に対し、メインメニューとなる設定メニュー画面ｇ２のデータを携帯端末８へ送信する。
【０１４０】
設定メニュー画面ｇ２のデータが、他の設定メニュー画面ｇ２への移行指示を選択肢として含むメニュー画面のデータであることが考えられる。例えば、他の設定メニュー画面ｇ２への移行指示を受け付けるＨＴＭＬタグが、設定メニュー画面ｇ２のデータに含まれることが考えられる。
【０１４１】
そして、主制御部１は、前記移行指示を受信した場合に（工程Ｓ５０２）、複数の設定メニュー画面ｇ２のデータのうちの前記移行指示に対応した１つを携帯端末８へ送信する（工程Ｓ５０３）。
【０１４２】
＜工程Ｓ５０４＞
主制御部１は、第２副通信部２２を通じて携帯端末８から前記ジョブ実行要求を受信した場合、そのジョブ実行要求に従ってジョブ処理部３に前記ジョブを実行させる。これは、図４の工程Ｓ１０４と同様である。
【０１４３】
前記ジョブ実行要求は、工程Ｓ５０３で送信された設定メニュー画面ｇ２のデータに対応する前記設定可能条件の指定内容を含む。例えば、図７に示される設定メニュー画面ｇ２の指定内容入力枠ｇ１１に設定された内容が、前記設定可能条件の指定内容である。
【０１４４】
なお、工程Ｓ５０４の処理を実行する主制御部１がジョブ制御部の一例である。前記ジョブが終了すると、主制御部１は、工程Ｓ５０２からの処理を繰り返す。
【０１４５】
＜工程Ｓ５０５＞
主制御部１は、第２副通信部２２を通じて携帯端末８から終了要求を受信した場合、第２副通信部２２を停止させる。これは、図４の工程Ｓ１０５と同様である。その後、画像処理装置１０は、工程Ｓ５０１からの処理を実行する状態になる。
【０１４６】
なお、ＭＰＵ１１がジョブ制御プログラムＰｒ１２を実行することにより、主制御部１は、工程Ｓ５０２〜Ｓ５０４の処理を実行する。なお、工程Ｓ５０３，Ｓ５０４の処理を実行する主制御部１は、ジョブ制御部の一例である。
【０１４７】
また、ＭＰＵ１１が起動制御プログラムＰｒ１１を実行することにより、主制御部１は、工程Ｓ５０５の処理を実行する。
【０１４８】
＜工程Ｓ６０１＞
一方、携帯端末８の第１副通信部８４も前記リンク確立処理を実行する（図５参照）。
【０１４９】
＜工程Ｓ６０２＞
画像処理装置１０との間で前記リンク確立処理が成功すると、ＣＰＵ８１は、自動的に第２副通信部８５を通じて画像処理装置１０に前記画面要求を送信する。前記画面要求は、設定メニュー画面ｇ２のデータの要求である。
【０１５０】
＜工程Ｓ６０３＞
前記画面要求が送信された後、ＣＰＵ８１は、画像処理装置１０から返信される設定メニュー画面ｇ２のデータを第２副通信部８５を通じて受信する。さらに、ＣＰＵ８１は、受信データに基づく設定メニュー画面ｇ２をタッチパネルユニット８７に表示させる（図７参照）。
【０１５１】
例えば、工程Ｓ６０３において、ＣＰＵ８１は、予め記憶部８２にインストールされたウェブブラウザープログラムＰｒ２４を自動起動する。そして、ＣＰＵ８１は、ウェブブラウザープログラムＰｒ２４を実行することにより、前記マークアップ言語で表現された受信データに基づく設定メニュー画面ｇ２をタッチパネルユニット８７に表示させる。
【０１５２】
＜工程Ｓ６０４＞
さらに、携帯端末８のＣＰＵ８１は、設定メニュー画面ｇ２が表示されているときに、タッチパネルユニット８７に対する操作に従って前記ジョブの前記設定可能条件の指定内容を設定する。これは、図４の工程Ｓ２０５と同様である。
【０１５３】
＜工程Ｓ６０５＞
携帯端末８のＣＰＵ８１は、設定メニュー画面ｇ２が表示されているときに、タッチパネルユニット８７に対して前記ジョブの開始操作が行われた場合に、前記ジョブ実行要求を画像処理装置１０に対して送信する。これは、図４の工程Ｓ２０６と同様である。ＣＰＵ８１は、工程Ｓ６０５の処理の後、工程Ｓ６０２からの処理を繰り返す。
【０１５４】
前記ジョブ実行要求は、工程Ｓ６０４において設定された前記設定可能条件の指定内容を含む。前記ジョブ実行要求は、第２副通信部８５を通じて画像処理装置１０に送信される。
【０１５５】
また、ＣＰＵ８１は、タッチパネルユニット８７に対する他の設定メニュー画面ｇ２を選択する操作を検知した場合、工程Ｓ６０２からの処理を繰り返す。この場合、工程Ｓ６０２において、ＣＰＵ８１は、選択された他の設定メニュー画面ｇ２を要求する前記画面要求を画像処理装置１０に送信する。
【０１５６】
＜工程Ｓ６０６〜Ｓ６０８＞
携帯端末８のＣＰＵ８１は、設定メニュー画面ｇ２が表示されているときに、タッチパネルユニット８７に対して前記終了操作が行われた場合に、終了処理（工程Ｓ６０６〜Ｓ６０８）を実行する。ＣＰＵ８１は、前記ジョブの条件設定の終了操作が行われるまで、工程Ｓ６０２〜Ｓ６０５の処理を繰り返す。
【０１５７】
工程Ｓ６０６〜Ｓ６０８の前記終了処理は、図４の工程Ｓ２０７〜Ｓ２０９の前記終了処理と同じである。前記終了処理の後、携帯端末８は、工程Ｓ６０１からの処理を実行する状態になる。
【０１５８】
ＣＰＵ８１は、起動制御プログラムＰｒ２１を実行することにより、工程Ｓ６０８の処理を実行する。
【０１５９】
なお。工程Ｓ６０２〜Ｓ６０４の処理を実行するＣＰＵ８１が条件設定部の一例である。工程Ｓ６０５の処理を実行するＣＰＵ８１がジョブ実行要求部の一例である。
【０１６０】
本実施形態が採用される場合、第１実施形態が採用される場合と同様の効果が得られる。また、本実施形態においては、画像処理装置１０が設定メニュー画面ｇ２のデータを携帯端末８へ送信する。これにより、画像処理装置１０に対応する特別なアプリケーションプログラムを携帯端末８にインストールする必要がない。
【０１６１】
[応用例]
図９の工程Ｓ５０２において、画像処理装置１０の主制御部１が予め定められた一部の設定メニュー画面ｇ２への移行指示を受信した場合に、第２副通信部２２が、第２無線通信１０２の接続を切断することが考えられる。工程Ｓ５０５の処理が実行されることにより、停止した第２副通信部２２は、第２無線通信１０２の接続を切断する。
【０１６２】
例えば、前記移行指示による移行先の設定メニュー画面ｇ２が、前記ジョブの前記設定条件の指定の初期値を設定する画面のように、前記ジョブの実行に直結しない特定の画面であることが考えられる。そのような場合に、第２副通信部２２が、第２無線通信１０２の接続を一旦切断することが考えられる。その後、再び携帯端末８が端末載置台９０に近づけられると、画像処理装置１０および携帯端末８が前記リンク確立処理を実行する。
【０１６３】
さらに、携帯端末８のＣＰＵ８１が、前記特定の画面における操作に応じた要求を、第２副通信部８５を通じて画像処理装置１０に送信する。画像処理装置１０は、その要求に応じた処理を実行する。これにより、前記ジョブの実行を目的とする他のユーザーが、携帯端末８を用いて画像処理装置１０を操作することが可能になる。
【０１６４】
なお、本発明に係る画像処理装置、携帯情報端末および画像処理システムは、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１６５】
１        ：主制御部
２        ：画像処理システム
３        ：ジョブ処理部
７        ：通電スイッチ
８        ：携帯端末
９        ：バス
１０      ：画像処理装置
１１      ：ＭＰＵ
１２      ：記憶部
２１      ：第１副通信部（本体側第１通信部）
２２      ：第２副通信部（本体側第２通信部）
３０      ：スキャン制御部
３１      ：スキャン部
４０      ：プリント制御部
４１      ：プリント部
５０      ：画像処理部
６０      ：主通信部
８１      ：ＣＰＵ
８２      ：記憶部
８３      ：主通信部
８４      ：第１副通信部（端末側第１通信部）
８５      ：第２副通信部（端末側第２通信部）
８６      ：信号インターフェイス
８７      ：タッチパネルユニット
８８      ：通電スイッチ
９０      ：端末載置台
１００    ：ネットワーク
１０１    ：第１無線通信
１０２    ：第２無線通信
８００    ：公衆通信回線
Ｄ１      ：設定可能条件情報
Ｄ１ｘ    ：候補情報
Ｄｇ１    ：基本メニュー画面データ
Ｐｒ１１  ：起動制御プログラム
Ｐｒ１２  ：ジョブ制御プログラム
Ｐｒ２１  ：起動制御プログラム
Ｐｒ２２  ：ジョブ設定プログラム
Ｐｒ２３  ：基本メニュー編集プログラム
Ｐｒ２４  ：ウェブブラウザープログラム
ｇ１      ：基本メニュー画面
ｇ２      ：設定メニュー画面
【図１】
2017001323.tif 000003
【図２】
2017001323.tif 000004
【図３】
2017001323.tif 000005
【図４】
2017001323.tif 000006
【図５】
2017001323.tif 000007
【図６】
2017001323.tif 000008
【図７】
2017001323.tif 000009
【図８】
2017001323.tif 000010
【図９】
2017001323.tif 000011